(57)【要約】【課題】擬似的に四者通話を行っている状態で、音声のミキシングを行っていたＩＳＤＮ通信端末を利用するユーザが通話から抜けたときに、残りのユーザ同士が通話を行うことのできる通信端末、通話サービスシステムおよび通信端末の通話サービス制御プログラムを得ること。【解決手段】ユーザＢおよびユーザＣのＩＳＤＮ通信端末がミキシング機能を利用して２組の擬似三者通話を行うことでユーザＡ〜ユーザＤの四者で通話を行っているとき、核となるユーザＢが通話から抜けるとする。ユーザＢの通信端末は擬似三者通話の残りの通信端末に通知して回線を開放する。このとき、ミキシングを行っていない通信端末はミキシングを行っているユーザＣの通信端末に呼の設定を要求してこれと通信を開始することで新たな擬似三者通話を実現する。【選択図】図５
2007295191.tif 000002
【特許請求の範囲】
【請求項１】
自装置側に配置された１台の電話機としての自電話機に対して通話相手となる電話機としての他電話機が１台ずつ接続される通話チャネルを複数設定する複数通話チャネル設定手段と、
この複数通話チャネル設定手段で設定した複数の通話チャネルの前記他電話機の電話番号をそれぞれ格納する電話番号格納手段と、
前記複数通話チャネル設定手段で設定した複数の通話チャネルのそれぞれを伝送される前記他電話機の音声を前記自電話機の共通した通話相手の音声として混合するミキシング手段と、
このミキシング手段で前記複数の通話チャネルのそれぞれを伝送される前記他電話機の音声を混合して通話を行っている状態で、前記自電話機の通話終了の手順が開始したときこれを検知する通話終了手順開始検知手段と、
この通話終了手順開始検知手段が前記自電話機の通話終了の手順の開始を検知したとき、前記複数通話チャネル設定手段によって複数設定された通話チャネルのすべてに対してこれらに接続された前記他電話機と前記自電話機との間の通話チャネルの開放を通知する開放通知手段と、
この開放通知手段が前記通話チャネルの開放を通知するとき、複数通話チャネル設定手段によって複数設定された通話チャネルのそれぞれに前記電話番号格納手段に格納された前記他電話機の電話番号の少なくとも一部を送出して前記自電話機を除いてこれと通話を行っていた前記他電話機同士の再接続を要求する再接続要求手段
とを具備することを特徴とする通信端末。
【請求項２】
前記自電話機は前記他電話機の少なくとも一部と共にＩＳＤＮ網に接続されていることを特徴とする請求項１記載の通信端末。
【請求項３】
請求項１記載の通信端末同士の前記通話チャネルの１つが、前記複数通話チャネル設定手段によって、互いに一方の自電話機が他方の他電話機となるように接続されることを特徴とする通話サービスシステム。
【請求項４】
前記通話チャネルはＩＳＤＮのＢチャネルであることを特徴とする請求項３記載の通話サービスシステム。
【請求項５】
前記Ｂチャネルは１台の通信端末に２つ用意されており、これによりそれぞれ擬似三者通話を行う３台１組の通信端末の集合のそれぞれが前記通話チャネルを１つ共有することで、前記開放通知手段が通話チャネルの開放を通知した時点で４台の電話機が一緒に音声通話を行っていることを特徴とする請求項４記載の通話サービスシステム。
【請求項６】
前記Ｂチャネルは１台の通信端末に３つ以上用意されており、これによりそれぞれ擬似多者通話を行う通信端末の集合が互いに少なくとも１つ前記通話チャネルを共有することで、前記開放通知手段が通話チャネルの開放を通知した時点で１つの通信端末の集合を構成する電話機の数以上の数の電話機が一緒に音声通話を行っていることを特徴とする請求項４記載の通話サービスシステム。
【請求項７】
通信端末のコンピュータに、
自装置側に配置された１台の電話機としての自電話機に対して通話相手となる電話機としての他電話機が１台ずつ接続される通話チャネルを複数設定する複数通話チャネル設定処理と、
この複数通話チャネル設定ステップで設定した複数の通話チャネルの前記他電話機の電話番号をそれぞれ格納する電話番号格納処理と、
前記複数通話チャネル設定手段で設定した複数の通話チャネルのそれぞれを伝送される前記他電話機の音声を前記自電話機の共通した通話相手の音声として混合するミキシング処理と、
このミキシング処理で前記複数の通話チャネルのそれぞれを伝送される前記他電話機の音声を混合して通話を行っている状態で、前記自電話機の通話終了の手順が開始したときこれを検知する通話終了手順開始検知処理と、
この通話終了手順開始検知処理で前記自電話機の通話終了の手順の開始を検知したとき、前記複数通話チャネル設定処理によって複数設定された通話チャネルのすべてに対してこれらに接続された前記他電話機と前記自電話機との間の通話チャネルの開放を通知する開放通知処理と、
この開放通知処理で前記通話チャネルの開放を通知するとき、複数通話チャネル設定処理によって複数設定された通話チャネルのそれぞれに前記電話番号格納処理で格納された前記他電話機の電話番号の少なくとも一部を送出して前記自電話機を除いてこれと通話を行っていた前記他電話機同士の再接続を要求する再接続要求処理
とを実行させることを特徴とする通信端末の通話サービス制御プログラム。
【請求項８】
前記通信端末の通話チャネルは２チャネルであり、前記複数通話チャネル設定処理では同一の通話サービスを行う他の通信端末の通話チャネルのうちの１チャネルと共通したチャネルを形成する処理を含んでいることを特徴とする請求項７記載の通信端末の通話サービス制御プログラム。
【発明の詳細な説明】
【技術分野】
【０００１】
本発明は、複数の通話チャネルを有することで、三者あるいはこれ以上の者の音声が混合された状態で通話を行うことができる通信端末、この通信端末を使用した通話サービスシステムおよび通信端末の通話サービス制御プログラムに係わり、特に三者あるいはこれ以上の者の音声が混合された状態で通話を行っている状態で一部の者が通話から抜けた場合でも、残りの者が通話を継続することのできる通信端末、通話サービスシステムおよび通信端末の通話サービス制御プログラムに関する。
【背景技術】
【０００２】
３人がそれぞれの電話機を使って同時に通話できるサービスとして三者通話サービスがある。
【０００３】
図１０は、三者通話サービスの第１の形態を示したものである。図１０に示した第１の形態では、ユーザＡが三者通話サービスの契約を行っているものとする。ユーザＡ１１１はユーザＢ１１２に電話を掛け、その後、ユーザＡ１１１はユーザＢ１１２との通話を保留する指示を行う。ユーザＡ１１１と三者通話サービスの契約を行った交換機は、ユーザＡ１１１とユーザＢ１１２の通話を保留する。この保留状態でユーザＡ１１１がユーザＣ１１３に電話を掛ける。すると、交換機はユーザＡ１１１とユーザＣ１１３の間に呼を接続する。この後、ユーザＡ１１１が保留を解除する指示を行うと、交換機はこれら三者のうちの二者ずつの音声を混合して、残りの者との間の回線を接続する。これにより、ユーザＡ１１１はユーザＢ１１２およびユーザＣ１１３と話すことができる。したがって、たとえばユーザＡ１１１とユーザＢ１１２およびユーザＣ１１３が一緒に旅行に行く相談を行うような場合には、大変便利である。この場合の通話料は、電話を掛けたユーザＡ１１１が全部受け持つ。
【０００４】
図１１は三者通話サービスの第２の形態を示したものである。この例では、ユーザＢ１１２からユーザＡ１１１に電話をする。ユーザＡ１１１が三者通話サービスの契約を行っているものとする。この場合、電話を取ったユーザＡ１１１は、保留の指示をして三者通話サービスの契約を行った交換機にユーザＢ１１２との通話を保留させる。この保留状態でユーザＡ１１１はユーザＣ１１３に電話をする。そして、ユーザＢ１１２との通話の保留をその後に解除すると、交換機はこれら三者のうちの二者ずつの音声を混合して、残りの者との間の回線を接続する。これにより、ユーザＡ１１１はユーザＢ１１２とユーザＣ１１３両者と電話で話すことができる。この場合の通話料は、ユーザＢ１１２からユーザＡ１１１に電話を掛けた分はユーザＢ１１２が受け持ち、ユーザＡ１１１からユーザＣ１１３へ電話を掛けた分はユーザＡ１１１が受け持つことになる。
【０００５】
ところが、このような三者通話サービスは、交換機がその制御を行うので、ユーザＡ１１１が三者通話サービスという有料の契約を電話会社と事前に行っておく必要がある。このため、この三者通話サービスの契約者を含まない形で三者通話サービスを受けることができない。更に、このサービスは有料なので、三者で平等に通話を行っても、サービスの加入者に経済的に余計な負担を強いることになる。
【０００６】
そこで、ＩＳＤＮ（Integrated Services Digital Network）回線が１つの契約回線で２回線分の通話が行えることに着目して、擬似的に三者通話サービスを行うことができる手法が提案されている（たとえば特許文献１参照）。これは擬似三者通話サービスと呼ばれている。擬似三者通話サービスでは、ＩＳＤＮの通信端末内にハードウェアあるいはソフトウェアでミキシング機能を具備させ、これを用いて、網側のサービスに依らない三者通話を行うことを可能にしている。
【０００７】
図１２は、擬似三者通話サービスを表わしたものである。ユーザＢ１１２はＩＳＤＮ回線を利用しており、２つのＢチャネルを活用することができる。そこで、そのうちの１つのＢチャネルを用いてユーザＡ１１１と通話を行う。その後、ユーザＢ１１２は回線を保留して、残りのＢチャネルを用いてユーザＣ１１３に電話を掛ける。ユーザＢ１１２のＩＳＤＮ端末には２つの回線の音声データをミキシングする機能が備えられている。そこで、ユーザＢ１１２のＩＳＤＮ端末が回線の保留を解除して、ユーザＡ１１１とユーザＣ１１３のそれぞれの回線の音声データをミキシングすることで、ユーザＡ１１１、ユーザＢ１１２およびユーザＣ１１３は擬似的に三者通話を行うことができる。しかも、ＩＳＤＮ端末にミキシング機能が備わっていることで、電話会社に三者通話サービスのための料金を支払うことが必要ない。
【０００８】
この擬似的な三者通話としての擬似三者通話を２組用いると、擬似的な四者通話としての擬似四者通話が可能になる。
【０００９】
図１３は、擬似四者通話サービスの原理を表わしたものである。ユーザＢ１１２はＩＳＤＮ端末を利用しており、２つのＢチャネルを活用することで、ユーザＡ１１１およびユーザＣ１１３の間で図１２に示した擬似三者通話サービスを行うことができる。ユーザＣ１１３もＩＳＤＮ端末を利用しており、２つのＢチャネルを活用することで、ユーザＢ１１２およびユーザＤ１１４の間で同様の擬似三者通話サービスを行うことができる。したがって、ユーザＢ１１２およびユーザＣ１１３がそれぞれのＩＳＤＮ端末で三者の音声データをミキシングすることによって、ユーザＡ１１１、ユーザＢ１１２、ユーザＣ１１３およびユーザＤ１１４の四者通話を交換機の特別の制御を行うことなく、擬似的に実現することができる。このときも、電話会社に四者通話サービスのための料金を支払うことが必要ない。
【００１０】
【特許文献１】特開平２−２２８１５３号公報（第３ページ左上欄第１６行目〜同ページ右上欄第１０行目、図）
【発明の開示】
【発明が解決しようとする課題】
【００１１】
ところで、この従来の擬似四者通話では、図１３におけるユーザＢ１１２が通話から抜けると、ユーザＡ１１１も通話から抜けてしまう。同様にユーザＣ１１３が通話から抜けると、ユーザＤ１１４も通話から抜けてしまう。ここでは、図１３に示した状態からユーザＢ１１２が通話から抜けて、残りのユーザＡ１１１、ユーザＣ１１３およびユーザＤ１１４で擬似三者通話に戻す場合について具体的に示すことにする。ユーザＢ１１２が通話から抜けた状態で、ユーザＣ１１３およびユーザＤ１１４が二者間で通話を行っているものとする。
【００１２】
（ａ）この状態でユーザＡ１１１は、ユーザＣ１１３の電話機に発信する。ユーザＣ１１３はユーザＡ１１１の発信を着信する。これにより、ユーザＣ１１３の電話機の受話器にインカミングトーンが入る。インカミングトーンとは、通話中に着信があったことを知らせる音である。このインカミングトーンは、受信したユーザＣ１１３のＩＳＤＮ端末が擬似的に作成する。
【００１３】
（ｂ）ユーザＣ１１３はインカミングトーンが聞こえたら、ユーザＤ１１４との通話を保留により中断する。そして、ユーザＡ１１１との通話パスに切り替えて、ユーザＡ１１１が以前の通りにユーザＣ１１３およびユーザＤ１１４と擬似三者通話を行うことを望んでいることを確認する。
【００１４】
（ｃ）そこで、図１４に示すように、ユーザＣ１１３は通話を擬似三者通話モードに切り替えて、ユーザＡ１１１、ユーザＣ１１３およびユーザＤ１１４による擬似三者通話を開始する。
【００１５】
以上説明したように、擬似四者通話中にユーザＢ１１２あるいはユーザＣ１１３が通話を抜けたとき、残りのメンバで擬似三者通話に戻すためには、煩雑な作業で再接続を行う必要があった。また、このとき、三者の中で電話番号を知らない者同士が存在する可能性があり、この場合には通話を抜けたユーザＢ１１２あるいはユーザＣ１１３に電話を掛けてその電話番号を聞かなければ、新たな擬似三者通話を形成することができないという問題があった。
【００１６】
そこで、本発明の目的は、擬似的に三者以上の者が一緒に通話を行っている状態で、音声のミキシングを行っていた通信端末を利用するユーザが通話から抜けたときに、残りのユーザ同士が通話を行うことのできる通信端末、通話サービスシステムおよび通信端末の通話サービス制御プログラムを提供することにある。
【課題を解決するための手段】
【００１７】
（イ）自装置側に配置された１台の電話機としての自電話機に対して通話相手となる電話機としての他電話機が１台ずつ接続される通話チャネルを複数設定する複数通話チャネル設定手段と、（ロ）この複数通話チャネル設定手段で設定した複数の通話チャネルの前記した他電話機の電話番号をそれぞれ格納する電話番号格納手段と、（ハ）前記した複数通話チャネル設定手段で設定した複数の通話チャネルのそれぞれを伝送される前記した他電話機の音声を自電話機の共通した通話相手の音声として混合するミキシング手段と、（ニ）このミキシング手段で前記した複数の通話チャネルのそれぞれを伝送される前記した他電話機の音声を混合して通話を行っている状態で、自電話機の通話終了の手順が開始したときこれを検知する通話終了手順開始検知手段と、（ホ）この通話終了手順開始検知手段が自電話機の通話終了の手順の開始を検知したとき、前記した複数通話チャネル設定手段によって複数設定された通話チャネルのすべてに対してこれらに接続された前記した他電話機と自電話機との間の通話チャネルの開放を通知する開放通知手段と、（へ）この開放通知手段が通話チャネルの開放を通知するとき、複数通話チャネル設定手段によって複数設定された通話チャネルのそれぞれに電話番号格納手段に格納された前記した他電話機の電話番号の少なくとも一部を送出して自電話機を除いてこれと通話を行っていた前記した他電話機同士の再接続を要求する再接続要求手段とを通信端末に具備させる。
【００１８】
すなわち本発明では、自装置側に配置された１台の電話機を中心としてこれとそれぞれ通話チャネルを設定して複数の前記した他電話機が接続され、これらの他電話機の音声を自電話機の共通した通話相手の音声として混合（ミキシング）することで、複数の者が一緒に通話できるようにした通信端末を扱っている。このような通信端末側に配置された１台の電話機が通話から抜けると、それぞれの他電話機の音声をミキシングすることができなくなるので、残った他電話機同士が通話できるように再編成する必要がある。そこで、電話番号格納手段がこれら他電話機の電話番号を格納しておき、自電話機の通話終了の手順が開始したときこれを検知して、複数設定された通話チャネルのそれぞれに電話番号格納手段に格納された前記した他電話機の電話番号の少なくとも一部を送出して自電話機を除いてこれと通話を行っていた他電話機同士の再接続を要求することにした。再接続のために必要な電話番号がそれぞれの他電話機に与えられればよく、全部の電話番号がそれぞれの他電話機に与えられる必要はないので、他電話機の電話番号の少なくとも一部を送出することにした。
【００１９】
ここで、自電話機は、通話チャネルを複数設定する一つの手法として、たとえばＩＳＤＮ網に接続されていてもよい。他電話機は必ずしも通話チャネルを複数設定する通信端末側に配置される必要はない。ただし、Ｂチャネルが２チャネルのＩＳＤＮ回線を使用して擬似的に四者通話を実現する際には、自装置側に配置された自電話機と通話チャネルによって接続される他電話機は、自電話機と同様に通話チャネルを複数設定する複数通話チャネル設定手段やミキシング手段を備えた通信端末側に配置される必要がある。
【００２０】
また、本発明の通話サービスシステムでは、請求項１記載の通信端末同士の前記通話チャネルの１つが、前記複数通話チャネル設定手段によって、互いに一方の自電話機が他方の他電話機となるように接続されることを特徴としている。
【００２１】
このように請求項１記載の通信端末同士をこれらの通話チャネルの１つによって互いに一方の自電話機が他方の他電話機となるように連結することで、たとえば１台の通信端末に２つのＢチャネルが配置されている場合には、２組の擬似擬似三者通話システムを組み合わせた擬似四者通話システムを通話サービスシステムとして構成することができる。通話チャネルの数がこれよりも多い場合には、連結の形態によって更に規模の大きな通話サービスシステムでの通話の途中にユーザが抜ける事態に対応することができる。
【００２２】
また、本発明の通信端末の通話サービス制御プログラムでは、通信端末のコンピュータに、（イ）自装置側に配置された１台の電話機としての自電話機に対して通話相手となる電話機としての他電話機が１台ずつ接続される通話チャネルを複数設定する複数通話チャネル設定処理と、（ロ）この複数通話チャネル設定ステップで設定した複数の通話チャネルの前記した他電話機の電話番号をそれぞれ格納する電話番号格納処理と、（ハ）前記した複数通話チャネル設定手段で設定した複数の通話チャネルのそれぞれを伝送される前記した他電話機の音声を自電話機の共通した通話相手の音声として混合するミキシング処理と、（ニ）このミキシング処理で前記した複数の通話チャネルのそれぞれを伝送される前記した他電話機の音声を混合して通話を行っている状態で、自電話機の通話終了の手順が開始したときこれを検知する通話終了手順開始検知処理と、（ホ）この通話終了手順開始検知処理で自電話機の通話終了の手順の開始を検知したとき、前記した複数通話チャネル設定処理によって複数設定された通話チャネルのすべてに対してこれらに接続された前記した他電話機と自電話機との間の通話チャネルの開放を通知する開放通知処理と、（へ）この開放通知処理で通話チャネルの開放を通知するとき、複数通話チャネル設定処理によって複数設定された通話チャネルのそれぞれに電話番号格納処理で格納された前記した他電話機の電話番号の少なくとも一部を送出して自電話機を除いてこれと通話を行っていた前記した他電話機同士の再接続を要求する再接続要求処理とを実行させることを特徴としている。
【００２３】
すなわち本発明では、自電話機を備えた通信端末のコンピュータが擬似的に多者による通話を可能にする通話サービス制御プログラムに関するものであり、複数通話チャネル設定処理で、自装置側に配置された１台の電話機としての自電話機に対して通話相手となる電話機としての他電話機が１台ずつ接続される通話チャネルを複数設定し、電話番号格納処理で、再接続に備えて他電話機の電話番号をそれぞれ格納するようにしている。そして、通話終了手順開始検知処理で自電話機の通話終了の手順が開始したときにこれを検知するようにし、開放通知処理で、前記した複数通話チャネル設定処理によって複数設定された通話チャネルのすべてに対してこれらに接続された前記した他電話機と自電話機との間の通話チャネルの開放を通知すると共に、再接続要求処理で、前記した他電話機の電話番号を通知して前記した他電話機同士の再接続を要求するようにしている。前記した他電話機同士は、これら通知された電話番号を基にして二者あるいは多者による通話のための再接続を行うことになる。
【発明の効果】
【００２４】
以上説明したように本発明によれば、多者による通話の核となっていた通信端末側の電話機としての自電話機が通話から抜けるときに、それ以外の電話機で通話に参加していた電話機としての他電話機に再接続の際に必要な電話番号を知らせて、自電話機との通話チャネルを開放することにしたので、他電話機同士が再接続をユーザの介在なしに行うことができる。したがって、特に擬似三者通話や擬似多者通話が連結して多数の者が通話に参加していたような場合であっても、事前に格納した各他電話機の電話番号を用いた電話機同士が簡単に通話路を形成することができる。また、ユーザを介さずに他電話機同士が再接続を行うので、人為的なミスによる誤接続を防止することができる。
【発明を実施するための最良の形態】
【００２５】
以下実施例につき本発明を詳細に説明する。
【実施例１】
【００２６】
図１は、ＩＳＤＮ網に接続されたユーザＡのＩＳＤＮ通信端末とこれに接続された電話機を表わしたものである。ユーザＡ１１１（図１３）のＩＳＤＮ通信端末２０１Ａは、ＩＳＤＮ回線２０２Ａを介してＩＳＤＮ網２０３と接続されている。ユーザＡ１１１のＩＳＤＮ通信端末２０１Ａは、ＩＳＤＮ回線２０２Ａと接続されたＩＳＤＮ通信部２０５と、このＩＳＤＮ通信部２０５の２つの通信用のデータ伝送路としてのＢチャネル２０６と接続され、ミキシングを選択的に行う選択スイッチミキシング部２０７と、この選択スイッチミキシング部２０７と接続されユーザＡ１１１の電話機２０８Ａの制御を行う電話機制御部２０９と、通信のための制御信号や付加機能提供用のデータ伝送路としてＩＳＤＮ通信部２０５に設けられたＤチャネル２１１と接続されて選択スイッチミキシング部２０７および電話機制御部２０９の制御を行う制御部２１２から構成されている。
【００２７】
ＩＳＤＮ通信部２０５は、ＩＳＤＮのプロトコルレイヤ１およびプロトコルレイヤ２を制御し、選択スイッチミキシング部２０７とＢチャネルの送受信を行う。またＩＳＤＮ通信部２０５は、制御部２１２とＤチャネルのデータの送受信を行うようになっている。選択スイッチミキシング部２０７はＢチャネルを構成するＢ１チャネルあるいはＢ２チャネルのいずれかを他のユーザの音声データとミキシングするか、Ｂ１チャネルとＢ２チャネルの音声データ、すなわちユーザＡ１１１とユーザＢ１１２（図１３）の音声データをミキシングした後、ＩＳＤＮ通信部２０５および電話機制御部２０９との送受信を行うようになっている。
【００２８】
電話機制御部２０９は、ユーザＡ１１１の電話機２０８Ａと接続し、選択スイッチミキシング部２０７から出力される音声データをディジタル・アナログ変換したり、電話機２０８Ａから出力されるアナログの音声信号をディジタル信号としての音声データに変換するようになっている。また、電話機制御部２０９はリンギング（鳴音）等の電話機の制御も行う。
【００２９】
一方、制御部２１２は、ユーザ・ユーザ情報送信部２１４と、ユーザ・ユーザ情報受信部２１５と、これらユーザ・ユーザ情報送信部２１４およびユーザ・ユーザ情報受信部２１５と接続された発着信制御部２１６と、この発着信制御部２１６と接続された発着信設定記憶部２１７から構成されている。ここで発着信制御部２１６は、ＩＳＤＮのレイヤ３のプロトコルを管理すると共に、ユーザ・ユーザ情報による他のＩＳＤＮ通信端末との制御信号の授受によって、擬似四者通話からユーザが一人抜けた場合の擬似三者通話への移行の制御を行うようになっている。ユーザ・ユーザ情報送信部２１４は、ユーザ・ユーザ情報を送信し、ユーザ・ユーザ情報受信部２１５はユーザ・ユーザ情報の受信を行う。発着信設定記憶部２１７は、擬似四者通話から擬似三者通話への移行の可否の設定を行ったり、擬似三者通話へ移行する際の再接続先の電話番号の保存を行うようになっている。発着信制御部２１６の機能的な構成については、後に図２でさらに具体的に説明する。
【００３０】
このような制御部２１２は、図示しないがＣＰＵ（Central Processing Unit）と、このＣＰＵが実行する制御プログラムを格納したＲＯＭ（Read Only Memory）や作業用メモリとしてのＲＡＭ（Random Access Memory ）等の記憶媒体を備えている。そして、制御部２１２を構成する各部の全部または一部を制御プログラムの実行によって、ハードウェアの代わりにソフトウェア的に実現している。ＩＳＤＮ通信部２０５、選択スイッチミキシング部２０７および電話機制御部２０９の全部または一部も、前記したＣＰＵと同一のＣＰＵあるいはこれと異なった図示しないＣＰＵおよび制御プログラムによって、ハードウェアの代わりにソフトウェア的に実現している。
【００３１】
本実施例では図１３に示した各ユーザ間で擬似四者通話を行うものとする。なお、本実施例では図１３に示したユーザＢ１１２、ユーザＣ１１３およびユーザＤ１１４のＩＳＤＮ通信端末２０１Ｂ、２０１Ｃ、２０１Ｄは、説明を単純にするために、それぞれがＩＳＤＮ回線２０２Ｂ、２０２Ｃ、２０２Ｄを介してＩＳＤＮ網２０３と接続されているものとする。そこで、これらユーザＢ１１２、ユーザＣ１１３およびユーザＤ１１４についてのＩＳＤＮ通信端末２０１Ｂ、２０１Ｃ、２０１Ｄおよびこれらに接続された電話機２０８Ｂ、２０８Ｃ、２０８Ｄの図示および説明は省略する。
【００３２】
なお、本実施例で説明する擬似四者通話は、擬似三者通話を２組使用したものであり、その意味で図１３に示すユーザＢ１１２とユーザＣ１１３はＩＳＤＮ通信端末２０１Ｂ、２０１Ｃを利用することが必要である。ユーザＡ１１１については、一旦、回線が切断されその後に再接続が行われるまでＩＳＤＮのＤチャネルによる制御を使用する。このため、ユーザＡ１１１もＩＳＤＮ通信端末２０１Ａを利用する必要がある。残りのユーザＤ１１４はその他の回線の通信端末を利用するものであってもよい。
【００３３】
図２は、図１に示した発着信制御部を具体化したユーザＡのＩＳＤＮ通信端末の構成を示したものである。図１と同一部分には同一の符号を付しており、説明を適宜省略する。発着信制御部２１６は、ユーザ・ユーザ情報変換部２２１と、ユーザ・ユーザ情報解析部２２２および発着信設定確認・発着信電話番号送信部２２３で構成されている。このうちユーザ・ユーザ情報変換部２２１は、発着信設定確認・発着信電話番号送信部２２３から送信されてきた制御データ２２５をユーザ・ユーザ情報のプロトコルに従って変換し、変換後のユーザ・ユーザ情報２２６をユーザ・ユーザ情報送信部２１４に送出するようになっている。
【００３４】
発着信設定確認・発着信電話番号送信部２２３は、本実施例で２組の擬似三者通話としての擬似四者通話から１組の擬似三者通話への移行を可能にするために、次の各機能を備えている。
（ａ）擬似三者通話終了時の切断メッセージ送出時に、通信を継続するための再接続要求と、接続先相互の電話番号情報および発信側と着信側の指示情報を制御データ２２５としてユーザ・ユーザ情報変換部２２１に送信する第１の機能。
（ｂ）再接続のための発呼時に、ユーザ・ユーザ情報に再接続要求を載せる第２の機能。
（ｃ）着信時に、発呼メッセージのユーザ・ユーザ情報に再接続要求のフラグがあるか否かを確認する第３の機能。
（ｄ）発着信設定記憶部２１７に保存した電話番号を示す電話番号情報２２７が発番号と一致するかどうかの確認を行い、一致した場合には着信・接続時の応答メッセージの送出時にユーザ・ユーザ情報に接続許可情報を載せ、通信の開始と共にミキシングを開始する第４の機能。
【００３５】
次に、擬似四者通話から擬似三者通話に移行するシーケンスを説明する。先に示した図１３に示した接続状態で、ユーザＢ１１２はユーザＡ１１１およびユーザＣ１１３と通信中であり、ユーザＣ１１３はユーザＢ１１２およびユーザＤ１１４と通信中である。ユーザＢ１１２およびユーザＣ１１３の擬似三者通話機能が共に実行されることによって、擬似四者通話が進行している。このとき、ユーザＢ１１２が通話から抜けるものとする。
【００３６】
図３は、ＩＳＤＮ通信端末が擬似三者通話を終了させるときの制御の様子を表わしたものである。通話から抜けるＩＳＤＮ通信端末２０１Ｂは、ユーザＢ１１２が通話終了のために図示しないハンドセットを電話機２０８Ｂに置いてオンフックすると（ステップＳ３０１：Ｙ）、前記したＣＰＵは擬似三者通話中のミキシングを行っていた通話の通話終了指示であるかを判別する（ステップＳ３０２）。そうでなければ（Ｎ）、通常の通話終了処理が行われる（ステップＳ３０３）。
【００３７】
これに対して、擬似三者通話中のミキシングを行っていた通話の通話終了指示であった場合には（ステップＳ３０２：Ｙ）、再接続要求と接続先相互の電話番号情報、発着側の指示情報とを「再接続情報」として、これを現在まで接続していた２つのＩＳＤＮ通信端末２０１Ａ、２０１Ｃのうちのミキシングを行っていたＩＳＤＮ通信端末２０１に対して、切断メッセージのユーザ・ユーザ情報に載せて送信する（ステップＳ３０４）。この例では、ＩＳＤＮ通信端末２０１Ｃがこれに該当する。そこで、ＩＳＤＮ通信端末２０１ＢはＩＳＤＮ通信端末２０１Ｃに対して切断メッセージに再接続情報を追加した形で送信することになる。
【００３８】
図４は、再接続情報が送られてきた場合のＩＳＤＮ通信端末の処理の流れを表わしたものである。上記した例では、ＩＳＤＮ通信端末２０１Ｃにおける処理となる。ＩＳＤＮ通信端末２０１Ｃの前記したＣＰＵは切断メッセージに再接続情報が載せられた形で送られてくるのを待機している（ステップＳ３２１）。切断メッセージに再接続情報が載せられた形で送られてきたら（Ｙ）、自端末は音声データをミキシング中であるかどうかを判別する（ステップＳ３２２）。ＩＳＤＮ通信端末２０１Ｃは、ＩＳＤＮ通信端末２０１ＢおよびＩＳＤＮ通信端末２０１Ｄの音声データをミキシング中である（Ｙ）。そこで、図１に示したＩＳＤＮ網２０３との間で回線を開放して（ステップＳ３２３）、処理を終了させる。
【００３９】
図３に戻ってＩＳＤＮ通信端末２０１Ｂの処理の続きを説明する。ＩＳＤＮ通信端末２０１ＢはＩＳＤＮ通信端末２０１Ｃに対して切断メッセージに再接続情報が載せられた形の制御データを送信したら（ステップＳ３０４）、ＩＳＤＮ網２０３からＩＳＤＮ通信端末２０１Ｃが開放されたことの通知を待機する（ステップＳ３０５）。この通知があったら（Ｙ）、ＩＳＤＮ通信端末２０１ＢはＩＳＤＮ網２０３に対してＩＳＤＮ通信端末２０１Ｃとの間の通話路の開放完了を通知する（ステップＳ３０６）。そして、他のＢチャネルに接続されたＩＳＤＮ通信端末２０１Ａに対して、ステップＳ３０４と同様に切断メッセージに再接続情報が載せられた形で制御データを送信する（ステップＳ３０７）。
【００４０】
この後、ＩＳＤＮ通信端末２０１ＢはＩＳＤＮ網２０３からＩＳＤＮ通信端末２０１Ａが開放されたことの通知を待機する（ステップＳ３０８）。この通知があったら（Ｙ）、ＩＳＤＮ通信端末２０１ＢはＩＳＤＮ網２０３に対してＩＳＤＮ通信端末２０１Ａとの間の通話路の開放完了を通知する（ステップＳ３０９）。以上のようにしてＩＳＤＮ通信端末２０１Ｂは通話から抜けるための処理を終了させる（エンド）。
【００４１】
再び図４に戻って、今度は通話路を開放されるＩＳＤＮ通信端末の処理を、ＩＳＤＮ通信端末２０１Ａを例に説明する。ＩＳＤＮ通信端末２０１Ａは通話から抜けるＩＳＤＮ通信端末２０１Ｂから切断メッセージに再接続情報が載せられた情報を受信すると（ステップＳ３２１：Ｙ）、自端末は擬似三者通信でミキシングを行っている通信端末であるかどうかを判別する（ステップＳ３２２）。ＩＳＤＮ通信端末２０１Ａは、この役割を行っていない（Ｎ）。そこで、ＩＳＤＮ通信端末２０１Ａは、まず図１に示したＩＳＤＮ網２０３との間で回線を開放する（ステップＳ３２４）。
【００４２】
次にＩＳＤＮ通信端末２０１Ａは、再接続情報から判明した接続先となるＩＳＤＮ通信端末の電話番号を基にして、呼設定メッセージに再接続要求が載せられた形で、新たに接続の対象となったＩＳＤＮ通信端末２０１Ｃに送信する（ステップＳ３２５）。そして、ＩＳＤＮ通信端末２０１ＡはこのＩＳＤＮ通信端末２０１Ｃから呼び出しがあったらこれに応答することで（ステップＳ３２６）、両者の間で呼を設定して、通話を開始する（ステップＳ３２７）。
【００４３】
最後に、この図４でＩＳＤＮ通信端末２０１Ｄと現在も通話中のＩＳＤＮ通信端末２０１Ｃに対して、ＩＳＤＮ通信端末２０１Ａから呼設定メッセージに再接続要求が載せられた形で送られてきたときの処理を説明する。ＩＳＤＮ通信端末２０１Ｃは呼設定メッセージに再接続要求が載せられた情報を受信すると（ステップＳ３２８：Ｙ）、相手方のＩＳＤＮ通信端末２０１Ａを呼び出して、このＩＳＤＮ通信端末２０１Ａから応答を受ける（ステップＳ３２９）。そして、選択スイッチミキシング部２０７でミキシングを行う現在の状態で、ＩＳＤＮ通信端末２０１Ａと通話を開始する（ステップＳ３３０）。このときＩＳＤＮ通信端末２０１ＣはＩＳＤＮ通信端末２０１Ｄと通話中なので、ＩＳＤＮ通信端末２０１Ａとの新たな通話が加わることで、擬似三者通話が開始されることになる。
【００４４】
図５は、以上説明した擬似四者通話から擬似三者通話に切り替える処理を具体例に基づいて表わしたものである。図１３および図１と共に説明する。
【００４５】
まず時刻ｔ1では、ユーザＡ１１１とユーザＢ１１２、ユーザＢ１１２とユーザＣ１１３、およびユーザＣ１１３とユーザＤ１１４がそれぞれＩＳＤＮ網２０３を介して接続されている。この状態では、ＩＳＤＮ通信端末２０１ＢとＩＳＤＮ通信端末２０１Ｃの選択スイッチミキシング部２０７のミキシング機能が２つのＢチャネルに対してオンとなっており、これらの擬似三者通話機能によって擬似四者通話が可能となっている。
【００４６】
時刻ｔ2にユーザＢ１１２がオフフックを行うと、ＩＳＤＮ通信端末２０１Ｂからユーザ・ユーザ情報に切断メッセージに再接続情報が載せられてＩＳＤＮ網２０３に送出され、ユーザＣ１１３のＩＳＤＮ通信端末２０１Ｃに送られる。ＩＳＤＮ通信端末２０１Ｃは、このとき送られてきた再接続情報によって再接続相手の電話番号を発着信設定記憶部２１７に格納し、回線を開放する。ＩＳＤＮ網２０３から回線の開放が通知されると、ＩＳＤＮ通信端末２０１ＢはＩＳＤＮ通信端末２０１Ｃとの間の回線開放を完了させる。
【００４７】
次の時刻ｔ3にＩＳＤＮ通信端末２０１Ｂからユーザ・ユーザ情報に切断メッセージに再接続情報が載せられてＩＳＤＮ網２０３に送出され、ユーザＡ１１１のＩＳＤＮ通信端末２０１Ａに送られる。ＩＳＤＮ通信端末２０１Ａは、このとき送られてきた再接続情報によって再接続相手の電話番号を発着信設定記憶部２１７に格納し、回線を開放する。ＩＳＤＮ網２０３から回線の開放が通知されると、ＩＳＤＮ通信端末２０１ＢはＩＳＤＮ通信端末２０１Ａとの間の回線開放を完了させる。
【００４８】
このようにしてＩＳＤＮ通信端末２０１ＢがＩＳＤＮ通信端末２０１ＣおよびＩＳＤＮ通信端末２０１Ａから切り離されたら、時刻ｔ4にユーザＡ１１１のＩＳＤＮ通信端末２０１Ａからユーザ・ユーザ情報に呼設定メッセージに再接続要求が載せられてＩＳＤＮ網２０３に送出され、新しい接続先のユーザＣ１１３のＩＳＤＮ通信端末２０１Ｃに送られる。ＩＳＤＮ通信端末２０１Ｃは、再接続要求のフラグが存在することを確認すると、発着信設定記憶部２１７に保存した電話番号を読み出して、ＩＳＤＮ網２０３に呼び出し信号を送出する。
【００４９】
そして、更に応答がユーザＣ１１３からユーザＡ１１１側に送られてきた場合には、ユーザＡ１１１およびユーザＣ１１３の間で時刻ｔ5から通話が開始されることになる。ＩＳＤＮ通信端末２０１ＣはＩＳＤＮ通信端末２０１Ｄとの間で通信を行っており、ＩＳＤＮ通信端末２０１Ｃのミキシングによる擬似三者通話機能により、ユーザＡ１１１、ユーザＣ１１３およびユーザＤ１１４間で擬似三者通話が行われることになる。
【００５０】
図６は、以上説明した擬似四者通話からユーザＢが通話を抜ける状態を表わしたものである。図１３と同一部分には同一の符号を付している。ユーザＢ１１２は、通話を抜ける前の状態で、ユーザＡ１１１およびユーザＣ１１３との間の音声をミキシングしていた。そこで、ユーザＡ１１１およびユーザＣ１１３への切断メッセージのユーザ・ユーザ情報に、これらのユーザの電話番号とこれらのユーザの間で通話を継続する旨のメッセージを載せて送信することになる。このとき、ユーザＣ１１３は、ユーザＢ１１２およびユーザＤ１１４との間の音声をミキシングしている。
【００５１】
図７は、擬似四者通話から移行後の擬似三者通話の状態を表わしたものである。ユーザＡ１１１がユーザ・ユーザ情報の電話番号からユーザＣ１１３に発呼する。ユーザＣ１１３はこのユーザ・ユーザ情報の電話番号と着番号の一致を確認して、これらの間に新たに呼が接続される。ユーザＣ１１３はユーザＤ１１４だけでなくユーザＡ１１１との間の音声をミキシングすることで、擬似三者通話に移行することになる。
【００５２】
＜発明の変形例＞
【００５３】
以上説明した実施例では、擬似四者通話中に擬似三者通話で音声のミキシングを行っているユーザが通話から抜ける場合に、新たに呼を設定すべき２人のユーザに通話から抜けるユーザが接続先の電話番号を通知することにした。本発明の変形例では、擬似四者通話中に、ユーザ情報を利用して四者それぞれに接続先の電話番号の通知を行うことにしている。この場合、各ＩＳＤＮ通信端末２０１Ａ〜２０１Ｄは、図１に示した発着信設定記憶部２１７に自端末以外に接続された３台の電話機２０８の電話番号を格納することになる。
【００５４】
図８および図９は、この変形例で各ユーザの処理の流れを表わしたものである。図６および図１と共に、ユーザＢ１１２およびユーザＣ１１３が時間的に同時とみなせるタイミングで通話から抜けた場合の再接続について説明する。たとえば会議や来客によって、ユーザＢ１１２とユーザＣ１１３が同時に会話から抜けるような場合がこれに該当する。
【００５５】
まず図８に示す時刻ｔ11では、ユーザＡ１１１とユーザＢ１１２、ユーザＢ１１２とユーザＣ１１３、およびユーザＣ１１３とユーザＤ１１４がそれぞれＩＳＤＮ網２０３を介して接続されている。この状態では、ＩＳＤＮ通信端末２０１ＢとＩＳＤＮ通信端末２０１Ｃの選択スイッチミキシング部２０７のミキシング機能が共に２つのＢチャネルに対してオンとなっており、これらの擬似三者通話機能によって擬似四者通話が可能な状態となっている。
【００５６】
時刻ｔ12でユーザＢ１１２のＩＳＤＮ通信端末２０１Ｂは、同一ＩＳＤＮ回線２０２の通信中のユーザＡ１１１の電話番号を接続先電話番号としてユーザ情報で送信する。これを受信したユーザＣ１１３のＩＳＤＮ通信端末２０１Ｃは、ユーザＡ１１１の電話番号を、通信中のユーザＢ１１２およびユーザＤ１１４の電話番号に加える形で自己の発着信設定記憶部２１７に擬似四者通話の相手として格納する。そして、ＩＳＤＮ通信端末２０１Ｃは、送ってきた通信相手のユーザＢ１１２の電話番号をユーザＡ１１１の電話番号に加え、接続先電話番号としてユーザ情報で送信する。これを受信したユーザＤ１１４のＩＳＤＮ通信端末２０１Ｄは、通信中のユーザＣ１１３の電話番号に、送ってきた接続先電話番号としてのユーザＡ１１１およびユーザＢ１１２の電話番号を、自己の発着信設定記憶部２１７に擬似四者通話の相手として格納する。
【００５７】
ユーザＣ１１３のＩＳＤＮ通信端末２０１Ｃは、時刻ｔ13に、同一ＩＳＤＮ回線２０２の通信中のユーザＤ１１４の電話番号を接続先電話番号としてユーザ情報で送信する。これを受信したユーザＢ１１２のＩＳＤＮ通信端末２０１Ｂは、ユーザＤ１１４の電話番号を、通信中のユーザＡ１１１およびユーザＣ１１３の電話番号に加える形で自己の発着信設定記憶部２１７に擬似四者通話の相手として格納する。そして、ＩＳＤＮ通信端末２０１Ｃは、送ってきた通信相手のユーザＤ１１４の電話番号をユーザＣ１１３の電話番号に加え、接続先電話番号としてユーザ情報で送信する。これを受信したユーザＡ１１１のＩＳＤＮ通信端末２０１Ａは、通信中のユーザＢ１１２の電話番号に、送ってきた接続先電話番号としてのユーザＣ１１３およびユーザＤ１１４の電話番号を、自己の発着信設定記憶部２１７に擬似四者通話の相手として格納する。
【００５８】
このようにしてユーザＡ１１１、ユーザＢ１１２、ユーザＣ１１３およびユーザＤ１１４のＩＳＤＮ通信端末２０１Ａ〜２０１Ｄの発着信設定記憶部２１７には、擬似四者通話を行っている自己以外の三者の電話番号が、それぞれ接続先電話番号として格納されることになる。
【００５９】
この状態で、時刻ｔ14に、たとえばユーザＢ１１２が通話から抜けるためのオンフックを行ったとする。すると、ＩＳＤＮ通信端末２０１Ｂから切断の一方の相手先としてのユーザＣ１１３側に対して、切断メッセージに再接続情報が付加されて送信される。ＩＳＤＮ通信端末２０１Ｃ１１３は、これを受信してユーザＢ１１２との間の回線を開放する。ＩＳＤＮ網２０３から回線が開放されたことの通知を受けたＩＳＤＮ通信端末２０１ＢはＩＳＤＮ通信端末２０１Ｃとの回線開放の完了を通知する。
【００６０】
図８に示す時刻ｔ14からわずか後の図９に示す時刻ｔ15に、ＩＳＤＮ通信端末２０１Ｂから他方の相手先としてのユーザＡ１１１側に対して、切断メッセージに再接続情報が付加されて送信される。ＩＳＤＮ通信端末２０１Ａ１１１は、これを受信してユーザＢ１１２との回線を開放する。ＩＳＤＮ網２０３から回線が開放されたことの通知を受けたＩＳＤＮ通信端末２０１ＢはＩＳＤＮ通信端末２０１Ｃとの回線開放の完了を通知する。
【００６１】
ユーザＢ１１２が通話から抜ける旨を伝えたとき、ユーザＣ１１３もこれに呼応する形で通話から抜けることにして、ユーザＢ１１２のオンフックに続いてユーザＣ１１３もオンフックを行ったとする。その時刻ｔ16に、ＩＳＤＮ通信端末２０１Ｃから現在も接続中のユーザＤ１１４側に対して、切断メッセージに再接続情報が付加されて送信される。ＩＳＤＮ通信端末２０１Ｄは、これを受信して回線を開放する。ＩＳＤＮ網２０３から回線が開放されたことの通知を受けたＩＳＤＮ通信端末２０１Ｃは、ＩＳＤＮ通信端末２０１Ｄとの回線開放の完了をＩＳＤＮ網２０３に通知する。
【００６２】
この後の時刻ｔ17に、ＩＳＤＮ通信端末２０１Ｃは、通話から抜けなかったユーザの一人に対して接続先を変更する旨のユーザ情報を、ＩＳＤＮ網２０３を経由してＩＳＤＮ通信端末２０１Ａに送信する。ＩＳＤＮ通信端末２０１Ａは、自己の発着信設定記憶部２１７に格納しておいた擬似四者通話の相手の中から通話から抜けたユーザＢ１１２およびユーザＣ１１３を除外した残りのユーザＤ１１４を特定する。そして、このユーザＤ１１４に対して、時刻ｔ18に、ＩＳＤＮ網２０３を経由する形で、切断メッセージに再接続要求を付加したものを送信する。
【００６３】
この送信を受けたＩＳＤＮ通信端末２０１Ｄは、自己の発着信設定記憶部２１７に格納しておいた擬似四者通話の相手の中の一人から再接続要求があったことを確認して、ＩＳＤＮ網２０３を経由してユーザＡ１１１に対してＩＳＤＮ網２０３を経由して呼び出しを行う。そして、更に応答がユーザＤ１１４からユーザＡ１１１側に送られてきた場合には、残った２つのユーザ１１３、ユーザ１１４の間で時刻ｔ19から通話が開始されることになる。この例の場合には、四者擬似通話からユーザＡ１１１、ユーザＤ１１４の二者による通常の通話が開始されることになる。
【００６４】
以上説明した実施例および変形例では、Ｂチャネルが２つのＩＳＤＮ回線を使用した場合を説明したが、Ｂチャネルは３つ以上であってもよい。この場合には、実施例および変形例の擬似四者通話よりも多い数のユーザがミキシング機能を用いて共に通話を行うことができる。
【００６５】
更に、本発明は３つ以上のＢチャネルを備えた通信端末と通話を行っている複数の電話機同士が、この通信端末の電話機が通話を抜けるときに通話を継続する場合にも適用されることはもちろんである。
【００６６】
また、本発明は複数の通話チャネルを備えた通信端末あるいはこれを備えた通話サービスシステムや通信端末の通話サービス制御プログラムに適用されるものであって、通話チャネルがＩＳＤＮ網により提供される必要は必ずしも存在しないことも当然である。
【図面の簡単な説明】
【００６７】
【図１】本実施例でＩＳＤＮ網に接続されたユーザＡのＩＳＤＮ通信端末とこれに接続された電話機を表わしたブロック図である。
【図２】本実施例で発着信制御部を具体化したＩＳＤＮ通信端末のブロック図である。
【図３】本実施例でＩＳＤＮ通信端末が擬似三者通話を終了させるときの制御の様子を表わした流れ図である。
【図４】本実施例で再接続情報が送られてきた場合のＩＳＤＮ通信端末の処理の流れ図である。
【図５】本実施例で擬似四者通話から擬似三者通話に切り替える処理を具体例に基づいて表わしたタイミング図である。
【図６】本実施例で擬似四者通話からユーザＢが通話を抜ける状態を表わした説明図である。
【図７】本実施例で擬似四者通話から移行後の擬似三者通話の状態を表わした説明図である。
【図８】本発明の変形例で擬似四者通話から二者の通話に移行する処理の前半を表わしたタイミング図である。
【図９】この変形例で擬似四者通話から二者の通話に移行する処理の後半を表わしたタイミング図である。
【図１０】三者通話サービスの第１の形態を示した説明図である。
【図１１】三者通話サービスの第２の形態を示した説明図である。
【図１２】擬似三者通話サービスの構成を表わした説明図である。
【図１３】擬似四者通話サービスの構成を表わした説明図である。
【図１４】擬似三者通話モード構成を表わした説明図である。
【符号の説明】
【００６８】
１１１  ユーザＡ
１１２  ユーザＢ
１１３  ユーザＣ
１１４  ユーザＤ
２０１  ＩＳＤＮ通信端末
２０２  ＩＳＤＮ回線
２０３  ＩＳＤＮ網
２０５  ＩＳＤＮ通信部
２０７  選択スイッチミキシング部
２０８  電話機
２１２  制御部
２１６  発着信制御部
２１７  発着信設定記憶部
２２３  発着信設定確認・発着信電話番号送信部
【図１】
2007295191.tif 000003
【図２】
2007295191.tif 000004
【図３】
2007295191.tif 000005
【図４】
2007295191.tif 000006
【図５】
2007295191.tif 000007
【図６】
2007295191.tif 000008
【図７】
2007295191.tif 000009
【図８】
2007295191.tif 000010
【図９】
2007295191.tif 000011
【図１０】
2007295191.tif 000012
【図１１】
2007295191.tif 000013
【図１２】
2007295191.tif 000014
【図１３】
2007295191.tif 000015
【図１４】
2007295191.tif 000016